(57)【要約】【課題】各遊技機に取付けられたＩＣタグを略島単位毎に配設した読取装置で読み取ることができて、遊技場全体の構成の簡略化とコストダウンを図り得ると共に、遊技機の不正改造等を長期に亘り安定して検査できる遊技場における遊技機検査システムを提供する。【解決手段】遊技に関与する部材が取外し可能に配設されて島に併設状態で設置された複数台の遊技機と、遊技機の前記部材に取付けられたＩＣタグと、遊技機の併設方向に沿って島の内部に配設された移動手段と、駆動手段を有して移動手段に移動可能に配設されＩＣタグの情報を読み取り可能な読取装置と、読取装置に通信可能に接続され駆動手段に駆動信号を送信することにより、読取装置をリーダ移動手段に沿って移動させて各遊技機のＩＣタグの情報を読み取り、該読み取った情報と予め記憶してある情報とを比較して、各遊技機の前記部材が正常か否かを判定する制御手段と、を備える。【選択図】  図２
2011000290.tif 000002
【特許請求の範囲】
【請求項１】
遊技に関与する部材が取外し可能に配設されて島に併設状態で設置された複数台の遊技機と、該遊技機の前記部材に取付けられたＩＣタグと、前記遊技機の併設方向に沿って前記島の内部に配設された移動手段と、駆動手段を有して前記移動手段に移動可能に配設され前記ＩＣタグの情報を読み取り可能な読取装置と、該読取装置に通信可能に接続され前記駆動手段に駆動信号を送信することにより、読取装置を移動手段に沿って移動させて各遊技機のＩＣタグの情報を読み取り、該読み取った情報と予め記憶してある情報とを比較して、各遊技機の前記部材が正常か否かを判定する制御手段と、を備えることを特徴とする遊技場における遊技機検査システム。
【請求項２】
前記移動手段は、前記島の内部に配設されたワイヤ、レール、ベルトのいずれかであることを特徴とする請求項１に記載の遊技場における遊技機検査システム。
【請求項３】
前記部材が基板ケース内に収納されて遊技の主たる制御を行う主制御基板で構成され、前記基板ケースに主制御基板に取付けたＩＣタグの情報を読み取り可能な読取部が設けられていることを特徴とする請求項１または２に記載の遊技場における遊技機検査システム。
【発明の詳細な説明】
【技術分野】
【０００１】
本発明は、パチンコ店、スロット店等の遊技場において、遊技機のＲＯＭ交換等の不正行為を検査可能な遊技場における遊技機検査ステムに関する。
【背景技術】
【０００２】
一般的に、パチンコ機やスロットマシン等の遊技機においては、遊技の主たる制御を行う主制御基板が配設されている。例えばパチンコ遊技機の場合は、主制御基板が遊技盤の裏面に取付けた基板ケース内に収納された状態で配設されている。従来、このような遊技機の主制御基板に装着されたＲＯＭの交換等の不正改造行為を検査（監視）する装置としては、例えば特許文献１及び特許文献２が提案されている。
【０００３】
特許文献１に開示の検査装置は、不正改造の有無をチェックするためのＩＤを記憶したＩＣタグが、島に併設状態で設置された各遊技機の基板ケースの表面にそれぞれ取付けられると共に、各遊技機にＩＣタグの情報を読み取り可能なＩＤ読取装置がそれぞれ取り付けられている。そして、ＩＤ読取装置で読み取った情報を情報管理装置に送信して、不正改造等を検査するようにしたものである。
【０００４】
また、特許文献２に開示の検査装置は、制御基板等を収納した収納ケースの裏面にＩＣタグが取付けられると共に、読取装置を有する監視ユニットがアンテナを兼ねるベルトにより収納ケースを巻回する状態で取付けられている。そして、収納ケースが不正に開放されると、監視ユニットとベルト（アンテナ）による送信が不可能となって、遊技機の不正改造等を検査するようにしたものである。
【先行技術文献】
【特許文献】
【０００５】
【特許文献１】特開２０００−２８８２１８号公報
【特許文献２】特開２００５−２６１９２６号公報
【発明の概要】
【発明が解決しようとする課題】
【０００６】
しかしながら、このような検査装置にあっては、各遊技機に取付けられたＩＣタグを読み取るための読取装置が各遊技機のＩＣタグに対応してそれぞれ配設されているため、読取装置の数が多くなって例えばホールコンピュータによる制御が複雑となり、遊技場全体のコストが大幅にアップし易い。特に、昨今のように遊技機が数百台単位で設置される大型の遊技場において顕著となり、その改善が望まれているのが実情である。また、各遊技機に対応して配設される読取装置が、遊技機の裏面側、すなわち遊技機が併設状態で設置される島の内部に配置されるため、遊技機への通電による島内部の温度上昇により、読取装置が高温の雰囲気中に晒される状態となり、読取装置自体の信頼性が低下し易く、長期に亘り安定した検査を行うことが難しい。
【０００７】
本発明は、このような事情に鑑みてなされたもので、その目的は、各遊技機に取付けられたＩＣタグを略島単位毎に配設した読取装置で読み取ることができて、遊技場全体の構成の簡略化とコストダウンを図り得ると共に、遊技機の不正改造等を長期に亘り安定して検査できる遊技場における遊技機検査システムを提供することにある。
【課題を解決するための手段】
【０００８】
かかる目的を達成すべく、本発明のうち請求項１に記載の発明は、遊技に関与する部材が取外し可能に配設されて島（２）に併設状態で設置された複数台の遊技機（１）と、該遊技機の前記部材に取付けられたＩＣタグ（７）と、前記遊技機の併設方向に沿って前記島の内部に配設された移動手段（５）と、駆動手段（３１）を有して前記移動手段に移動可能に配設され前記ＩＣタグの情報を読み取り可能な読取装置（６）と、該読取装置に通信可能に接続され前記駆動手段に駆動信号を送信することにより、読取装置を移動手段に沿って移動させて各遊技機のＩＣタグの情報を読み取り、該読み取った情報と予め記憶してある情報とを比較して、各遊技機の前記部材が正常か否かを判定する制御手段（４）と、を備えることを特徴とする。
【０００９】
また、請求項２に記載の発明は、前記移動手段が、前記島（２）の内部に配設されたワイヤ（５）、レール（４３）、ベルト（４４）のいずれかであることを特徴とする。さらに、請求項３に記載の発明は、前記部材が基板ケース（３６）内に収納されて遊技の主たる制御を行う主制御基板（１５）で構成され、前記基板ケースに主制御基板に取付けたＩＣタグの情報を読み取り可能な読取部（３９）が設けられていることを特徴とする。
【発明の効果】
【００１０】
本発明のうち請求項１に記載の発明によれば、島に併設状態で設置される遊技機の所定の部材にＩＣタグが取付けられ、島内部に配設された移動手段に沿って読取装置が移動してＩＣタグの情報を読み取り、この情報と予め記憶してある情報とが制御手段で比較されて不正改造等を検査するため、各遊技機に取付けられたＩＣタグを略島単位毎に配設した例えば１台の読取装置で読み取ることができて、遊技場全体の構成の簡略化とコストダウンを図ることができると共に、読取装置の信頼性を高めて各遊技機の不正改造等の検査を長期に亘り安定して行うことができる。
【００１１】
また、請求項２に記載の発明によれば、請求項１に記載の発明の効果に加え、移動手段が島の内部に配設されたワイヤ、レール、ベルトのいずれかであるため、移動手段の構成を簡略化できると共に移動手段を島内部の空間を有効利用しつつ簡単に配設することができる。
【００１２】
また、請求項３に記載の発明によれば、請求項１または２に記載の発明の効果に加え、遊技に影響する部材が、基板ケース内に収納された主制御基板で構成されて、基板ケースに読取部が設けられているため、読取部により基板ケース内部のＩＣタグを確実に読み取ることができて、不正改造等に対する検査精度を高めることができる。
【図面の簡単な説明】
【００１３】
【図１】本発明に係わる遊技場における遊技機検査システムの一実施形態を示す基本構成図
【図２】同島と管理装置の構成を示すブロック図
【図３】同遊技機の構成を示すブロック図
【図４】同ＩＣタグと読取装置の構成を示すブロック図
【図５】同遊技機の遊技盤の裏面図
【図６】同基板ケースの要部の断面図
【図７】同図６のＡ部の拡大断面図
【図８】同動作の一例を示すフローチャート
【図９】同他の動作を示すフローチャート
【図１０】同本発明の変形例を示す図
【発明を実施するための形態】
【００１４】
以下、本発明を実施するための最良の形態を図面に基づいて詳細に説明する。
図１〜図９は、本発明に係わる遊技機検査システムをパチンコ店に適用した場合の一実施形態を示している。
【００１５】
図１に示すように、遊技場としてのパチンコ店には、複数台のパチンコ遊技機１（以下、単に遊技機１という）が例えば２列の併設状態でそれぞれ設置された複数の島２と、各遊技機１に通信可能に接続されて各島２にそれぞれ配設された島コンピュータ３と、この島コンピュータ３に通信可能に接続された制御手段としての管理装置４等を備えている。また、２列の遊技機２間で島２の内部には、各列の遊技機１に対応して移動手段としてワイヤ５が島２の長手方向の両壁間にそれぞれ張設されると共に、この各ワイヤ５に読取装置６が矢印イの如く移動可能に配設されている。
【００１６】
前記島２は、図２に示すように、ＩＣタグ７が後述する如く貼付された遊技機１と、この遊技機１の上方に配設され、例えば遊技機１が大当たり状態時に点灯するランプ等を制御するためのランプ基板８と、２台の遊技機１の各ランプ基板８に対応して配設されたＩ／Ｏ基板９と、前記島コンピュータ３等を有している。そして、Ｉ／Ｏ基板９が、ＣＰＵ３ａ、ＲＯＭ３ｂ及びＲＡＭ３ｃを有する前記島コンピュータ３にそれぞれ接続されると共に、Ｉ／Ｏ基板９には前記読取装置６が接続されている。また、島２の内部には、例えば無停電電源装置等からなる電源装置１０が配設され、この電源装置１０から、各遊技機１に所定の電圧が供給されると共に、ランプ基板８やＩ／Ｏ基板９及び島コンピュータ３に所定の電源が供給されるようになっている。
【００１７】
また、前記管理装置４は、パチンコ店の例えば事務所等の管理室に設置され、ＣＰＵ１２ａとＲＯＭ１２ｂ及びＲＡＭ１２ｃを有するホールコンピュータ１２と、このホールコンピュータ１２に接続された報知装置１３等を備えている。報知装置１３は、所定の状態で点灯、点滅するランプや音声を再生するスピーカ等からなる報知器１３ａと、各種情報等を画面上に表示可能なディスプレイ等の表示器１３ｂ等を有している。また、ホールコンピュータ１２には、後述する如く読取装置６を移動させて各遊技機１のＩＣタグ７の読み取り作業（検査作業）を開始させるためのスイッチ１１が接続されている。
【００１８】
一方、前記遊技機１は、図３に示すように、遊技機１内部に設けられ前記電源装置１０に接続された電源基板１４を有し、この電源基板１４に、入賞口に遊技球が入賞することにより抽選を行い、遊技に係わる主たる制御を行う主制御基板１５と、遊技球の払出を制御する払出制御基板１６と、遊技盤に配設された液晶表示器等の表示を制御する演出制御基板１７及び各種ランプの点灯等を制御するランプ制御基板１８等が接続されている。
【００１９】
また、各遊技機１は、電源基板１４から電源が供給される外部情報基板１９を有し、この外部情報基板１９は、主制御基板１５に接続されると共に前記各島２のランプ基板８に接続されている。そして、この外部情報基板１９を介して各遊技機１の遊技状態等の情報が、ランプ基板８、Ｉ／Ｏ基板９及び島コンピュータ３を介してホールコンピュータ１２に送信されたり、ホールコンピュータ１２から所定の情報が島コンピュータ３、Ｉ／Ｏ基板９を介してランプ基板８等に送信されるようになっている。
【００２０】
また、各遊技機１の主制御基板１５には、裏面の所定位置に前記ＩＣタグ７が貼付されている。このＩＣタグ７には、主制御基板１５に搭載されてパチンコ遊技の大当たり状態等の遊技状態を制御するＲＯＭの管理番号（もしくは主制御基板１５自体の管理番号等）の識別情報が予め記憶されている。そして、このＩＣタグ７の識別情報が、ＩＣタグリードライタ等からなる前記読取装置６により非接触で読み取られて、その信号が前記島コンピュータ３を介して管理装置４に送信されるようになっている。
【００２１】
前記ＩＣタグ７と読取装置６は、例えば図４に示すように構成されている。すなわち、ＩＣタグ７は、不揮発性の記憶手段としてのＥＥＰＲＯＭ２０と、呼出波に応答して反射波を放出するＲＦ回路２１と、このＲＦ回路２１に接続された送受信回路２２等を有している。なお、ＥＥＰＲＯＭ２０とＲＦ回路２１は、例えばＩＣチップとして一体化されている。
【００２２】
このＩＣタグ７のＥＥＰＲＯＭ２０に記憶されている識別情報を読み取る前記読取装置６は、ＣＰＵ２３と、このＣＰＵ２３に接続されたＥＥＰＲＯＭ２４、ＲＯＭ２５、ＲＡＭ２６、タイマ２７、Ｉ／Ｏインターフェース２８を有すると共に、ＣＰＵ２３には、前記ＩＣタグ７との間でＲＦ送受信を行うためのＲＦ回路２９とアンテナ３０等が接続されている。また、前記Ｉ／Ｏインターフェース２８には、読取装置６の駆動手段としてのモータ３１が接続されると共に前記Ｉ／Ｏ基板９が接続されている。
【００２３】
ここで、前記ＩＣダク７の取付け位置について説明する。先ず、遊技機１は、図５に示すように、遊技機１の遊技盤３３の裏面側に、前記主制御基板１５及びランプ制御基板１８や盤用外部端子板３４、電源中継基板３５等が配設されている。また、遊技機１の各基板のうち主制御基板１５は、プラスチック製の基板ケース３６内に該ケース３６の開放が禁止された状態で収納されている。
【００２４】
そして、図６に示すように、主制御基板１５の裏面の所定位置には、該基板１５に半田付けされたＩＣソケット３７にＲＯＭ３８が着脱可能に装着されており、このＲＯＭ３８の表面に前記ＩＣタグ７が貼付されている。また、ＩＣタグ７の後方側の基板ケース３６には、透明（もしくは半透明）樹脂で形成されるかあるいは開口で形成された読取部３９が設けられている。この基板ケース３６の読取部３９に前記読取装置６の送受信回路２２が対向配置されるようになっている。このＩＣタグ７、読取装置６、ワイヤ５、管理装置４、島コンピュータ３等によって、本発明の検査システムが構築されている。
【００２５】
また、前記読取装置６は、図７に示す如く構成されてワイヤ５に沿って移動可能となっている。すなわち、読取装置６のカバー６ａにガイドブロック４０が固定され、このガイドブロック４０の中央にはワイヤ５が挿通するカイド孔４０ａが形成されると共に、ガイド孔４０ａに連通する状態でローラ収納部４０ｂが設けられている。そして、ローラ収納部４０ｂには、その回転軸がカバー６ａ内部の前記モータ３１の回転軸に連結されたローラ４１が回転可能に収納配置されている。このとき、ローラ４１の下面が常時ワイヤ５の上面側に所定圧で接触するように設定されている。そして、モータ３１が回転することによりローラ４１が回転して、読取装置６がワイヤ５に沿って移動するようになっている。
【００２６】
次に、前記検査システムの動作の一例を、図８及び図９のフローチャートに基づいて説明する。なお、図８はホールコンピュータ１２の動作を示し、図９は読取装置６の動作を示している。図８に示すように、プログラムがスタート（Ｓ１００）すると、検査システム自体がリセット状態か否かが判断（Ｓ１０１）され、この判断Ｓ１０１は「ＹＥＳ」になるまで繰り返され、「ＹＥＳ」となった時点で、前記スイッチ１１がオンが否かが判断（Ｓ１０２）される。
【００２７】
この判断Ｓ１０２も「ＹＥＳ」になるまで繰り返され、「ＹＥＳ」となった時点で、すなわち例えば営業時間外におけるＲＯＭ３８の不正交換等の検査（チェック）をしようとして、営業開始前に管理室のスイッチ１１をオン操作すると、各島２の島コンピュータ３を介して島２内部に配置されている読取装置６に駆動信号が送信（Ｓ１０３）される。読取装置６に駆動信号が送信されると、後述する如く各遊技機１のＩＣタグ７の識別情報が読み取られ、この信号がホールコンピュータ１２により取り込まれる（Ｓ１０４）。そして、ホールコンピュータ１２は、取り込んだ識別情報とＲＡＭ１２ｃに予め記憶してある情報とを比較して、識別情報が正常か否かが判断（Ｓ１０５）される。
【００２８】
この判断Ｓ１０５で「ＹＥＳ」の場合、すなわち読取装置６で読み取った所定の遊技機１の識別情報が当該遊技機１のＲＯＭ３８の交換等もなく正常な場合は、不正無しと判定（Ｓ１０６）され、当該取り込んだ情報がリセット（Ｓ１０７）される。そして、作業が終了したか否か、すなわち全ての遊技機１の検査が終了したか否かが判断（Ｓ１０８）され、この判断Ｓ１０８で「ＮＯ」の場合は、判断Ｓ１０２に戻り、該ステップＳ１０２以降を繰り返し、判断Ｓ１０８で「ＹＥＳ」の場合は、一連のプログラムがエンド（Ｓ１１１）となる。
【００２９】
一方、判断Ｓ１０５で「ＮＯ」の場合、すなわち遊技機１の基板ケース３６が外されてＲＯＭ３８が不正に交換された場合等には、読み取った識別情報と記憶してある識別情報とが異なり、これが不正有りと判定（Ｓ１０９）されて、不正があることが報知（Ｓ１０９）されてエンド（Ｓ１１０）となる。このときの報知は、前記報知器１３ａにより報知したり、表示器１３ｂに不正がある遊技機１を表示すること等により行われ、不正有りと判定した場合には、一連のプログラムが強制的に終了される。
【００３０】
つまり、ホールコンピュータ１２は、過去の情報がリセットされた状態において、スイッチ１１がオン操作されると、読取装置６に駆動信号を送信してＩＣタグ７の識別情報の読み取り作業を実行させ、読み取った識別情報と記憶してある識別情報を比較して、不正の有無を判定することになる。したがって、例えば営業開始前に検査システムを作動させることで、各遊技機１の不正改造等の有無がチェックできることになる。
【００３１】
以上が、ホールコンピュータ１２の動作であるが、読取装置６は、図９に示すように動作する。すなわち、プログラムがスタート（Ｓ２００）すると、ホールコンピュータ１２から駆動信号を受信したか否かが判断（Ｓ２０１）され、この判断Ｓ２０１は「ＹＥＳ」になるまで繰り返される。判断Ｓ２０１で「ＹＥＳ」になると、すなわち各遊技機１の不正を検査しようとして管理装置４のスイッチ１１がオン操作されて駆動信号が送信されると、モータ３１が回転（Ｓ２０２）して、その回転数が所定回転数否かが判断（Ｓ２０３）される。
【００３２】
この判断Ｓ２０３で「ＮＯ」の場合は、ステップＳ２０２に戻り回転を継続し、判断Ｓ２０３で「ＹＥＳ」の場合、すなわちモータ３１が予め設定されている回転数回転した場合は、当該位置に停止してＩＣタグ７の識別情報が読み取られ（Ｓ２０４）、当該読み取った識別情報が島コンピュータ３を介してホールコンピュータ１２に送信（Ｓ２０５）される。そして、所定台数読み取ったか否かが判断（Ｓ２０６）され、この判断Ｓ２０６で「ＮＯ」の場合、すなわち島２の全ての遊技機１のＩＣタグ７の識別情報が読み取られていない場合は、ステップＳ２０２に戻り、次の遊技機１の識別情報を寄り取る作業が実行される。また、判断Ｓ２０６で「ＹＥＳ」の場合、すなわち島２の全ての遊技機１のＩＣタグ７を読み取った場合は、エンド（Ｓ２０７）となる。
【００３３】
つまり、読取装置６は、ホールコンピュータ１２から送信される駆動信号により、モータ３１の所定の回転によるローラ４１の回転で、ワイヤ５に沿って初期位置から所定距離移動し、その送受信部２２を基板ケース３６の読取部３９の前方に対向位置させ、この位置で読取装置６が作動してＩＣタグ７に呼出波（電波）を送信し、その反射光（識別情報）を受信して、ホールコンピュータ１２に送信することになる。そして、島２の全ての遊技機１のＩＣタグ７を読み取った後に初期位置に戻って、次の検査の開始を待つことになる。
【００３４】
なお、以上説明したフローチャートは一例であって、例えば読取装置６の各遊技機１に対応した停止位置をモータ３１の回転数による制御に限らず、各遊技機１の裏面に非接触式の図示しないセンサを配置し、このセンサが読取装置６を検知した際に、所定位置に停止させて遊技機１のＩＣタグ７を読み取るフローチャートとすることもできる。また、ホールコンピュータ１２は、不正無しの場合に読み取った情報をリセットすることなく、履歴として記憶しておくフローチャートを採用する等、同様の効果が得られる適宜のフローチャートを採用することができる。
【００３５】
このように、前記検査システムによれば、島２に併設状態で設置される遊技機１の主制御基板１５のＲＯＭ３８にＩＣタグ７が貼付され、島２内部に配設されたワイヤ５に沿って読取装置６が移動してＩＣタグ７の識別情報を読み取り、この情報と予め記憶してある情報とがホールコンピュータ１２で比較されるため、各遊技機１に取付けられたＩＣタグ７の識別情報を、島２の遊技機１の列毎に配設した読取装置６で順番に読み取ることができる。
【００３６】
その結果、読取装置６を従来のように各遊技機１毎に配置する必要がなく、その台数を大幅に削減できて、数百台単位の遊技機１を有するパチンコ店における構成の簡略化と大幅なコストダウンを図ることができる。特に、遊技機１の大当たり等の遊技者にとって有利な遊技状態を作り出すためのＲＯＭ３８にＩＣタグ７が貼付されていることから、ＲＯＭ３８の不正交換等を確実かつ容易に検査することができて、遊技者に適正なパチンコ遊技を提供することが可能となる。
【００３７】
また、高温の雰囲気となり易い島２の内部に配設される精密機械としての読取装置６の台数を必要最低限に設定できるため、パチンコ店内における読取装置６の信頼性を高めることができて、長期に亘り安定した検査を行うことが可能になる。さらに、読取装置６を移動させるための移動手段が、島２の長手方向の両壁間にワイヤ５を張設することで対応できるため、移動手段の構成を簡略化することができると共に、島２内部の空間を有効利用しつつワイヤ５を容易に配設することができる。
【００３８】
図１０は、本発明に係わる検査システムの変形例を示している。以下、前記例と同一部位には、同一符号を付して説明する。図１０（ａ）の変形例は、ワイヤ５を島２の２列の各遊技機１に対して平面視コ字状に張設し、この１本のワイヤ５に１台の読取装置６を矢印イ方向に移動可能に配設したものである。この構成によれば、読取装置６の台数を島２に１台配設すれば良く、その台数を最小数とすることができる。
【００３９】
また、図１０（ｂ）の変形例は、移動手段としてワイヤ５ではなく、上面にガイド溝４３ａを有するレール４３を使用したものであり、ガイド溝４３ａ内をローラ４１が回転しながら移動するようになっている。また、図１０（ｃ）の変形例は、移動手段として、その両端が回転可能なローラ４５ａ、４５ｂに巻回された無端状のベルト４４を使用し、ベルトの所定位置に読取装置６を取付け、ローラ４５ａ、４５ｂが回転することにより、ベルト４４が回転して読取装置６が所定位置に移動するようにしたものである。このように、読取装置６を併設状態の遊技機１に沿って移動させる手段としては、適宜の手段を採用することができる。
【００４０】
なお、前記実施形態においては、遊技機１の主制御基板１５に搭載されているＲＯＭ３８にＩＣタグ７を貼付し、ＲＯＭ３８の不正交換等を検査する例について説明したが、本発明はこの例に限定されず、遊技機１の遊技状態に影響する、例えば主制御基板１５自体や、その他の部品の交換等にも適用することができる。また、前記実施形態においては、ホールコンピュータ１２に接続されたスイッチ１１を営業開始前に操作することにより、読取装置６を作動させて各遊技機１の検査を行ったが、例えば、所定時間毎に読取装置６を自動的に作動させるようにすれば、営業中の各遊技機１の状態を検査することも可能である。
【００４１】
さらに、前記実施形態においては、各遊技機１の基板ケース３６に読取部３９を設けたが、基板ケース３６全体を透明もしくは半透明としたり、基板ケース３６内の主制御基板１５の位置を読み取りに最適な位置に設定したり、あるいは基板ケース３６の開放や取り外しを検査するために該ケース３６の表面にＩＣタグ７を貼付した場合は、前記読取部３９をあえて設けない構成とすることもできる。また、前記実施形態における、島２のブロック構成、ＩＣタグ７や読取装置６のブロック構成等は一例であって、同等の作用効果が得られる適宜のブロック構成を採用する等、本発明に係わる各発明の要旨を逸脱しない範囲において、適宜に変更することができる。
【産業上の利用可能性】
【００４２】
本発明は、島にパチンコ遊技機が設置されるパチンコ店に限らず、島にスロットマシンやその他の遊技機が設置された各種遊技場の遊技機検査システムにも利用できる。
【符号の説明】
【００４３】
１・・・パチンコ遊技機、２・・・島、３・・・島コンピュータ、４・・・管理装置、５・・・ワイヤ（移動手段）、６・・・読取装置、７・・・ＩＣタグ、１１・・・スイッチ、１２・・・ホールコンピュータ、１３・・・報知装置、１３ａ・・・報知器、１３ｂ・・・表示器、１５・・・主制御基板、２０・・・ＥＥＰＲＯＭ、２１・・・ＲＦ回路、２２・・・送受信回路、２９・・・ＲＦ回路、３０・・・アンテナ、３１・・・モータ、３３・・・遊技盤、３６・・・基板ケース、３７・・・ＩＣソケット、３８・・・ＲＯＭ、３９・・・読取部、４１・・・ローラ、４３・・・レール、４４・・・ベルト。
【図１】
2011000290.tif 000003
【図２】
2011000290.tif 000004
【図３】
2011000290.tif 000005
【図４】
2011000290.tif 000006
【図５】
2011000290.tif 000007
【図６】
2011000290.tif 000008
【図７】
2011000290.tif 000009
【図８】
2011000290.tif 000010
【図９】
2011000290.tif 000011
【図１０】
2011000290.tif 000012